(57)【特許請求の範囲】
【請求項１】
互いに交差する長手方向及び幅方向を有するとともに、前記長手方向の一方側から、第１胴回り部、股下部、及び、第２胴回り部が並ぶ、展開型の使い捨ておむつであって、
吸収体コアと、
前記第１胴回り部から前記幅方向の両外側に延出する一対のファスニングテープと、を有し、
前記第２胴回り部は、前記使い捨ておむつの前記長手方向の両端を揃えた際に、前記ファスニングテープの前記長手方向の前記股下部側の端が位置する前記長手方向の位置に、前記ファスニングテープの係止端を有し、
前記吸収体コアは、前記幅方向の両端に、一対の切欠き部を有し、
前記吸収体コアは、前記一対の切欠き部よりも前記長手方向の前記一方側に、他の一対の切欠き部を有し、
前記長手方向において、
前記使い捨ておむつの中心である製品中心と、前記係止端との間の領域のうち、当該領域の中心と前記係止端との間の領域に、前記一対の切欠き部に挟まれる前記吸収体コアの部位のうち最も幅が狭くなる部位が位置しており、
前記長手方向において、
前記使い捨ておむつの中心である製品中心よりも、前記一方側とは反対の他方側の領域に、前記他の一対の切欠き部に挟まれる前記吸収体コアの部位のうち最も幅が狭くなる部位が位置していることを特徴とする使い捨ておむつ。
【請求項２】
請求項１に記載の使い捨ておむつであって、
前記第２胴回り部は、前記幅方向の両外側に前記股下部よりも延出する一対のサイドフラップを有し、
前記長手方向において、
前記製品中心と、前記サイドフラップの前記幅方向の最外側の端のうちの前記長手方向の前記一方側の端との間の領域の中心よりも、前記他方側の領域に、前記一対の切欠き部に挟まれる前記吸収体コアの部位のうち最も幅が狭くなる部位が位置していること、
を特徴とする使い捨ておむつ。
【請求項３】
請求項１又は請求項２に記載の使い捨ておむつであって、
前記長手方向において、
前記製品中心と、前記吸収体コアの前記他方側の端との間の領域の中心よりも、前記他方側の領域に、前記一対の切欠き部に挟まれる前記吸収体コアの部位のうち最も幅が狭くなる部位が位置していること、
を特徴とする使い捨ておむつ。
【請求項４】
請求項１から請求項３の何れか１項に記載の使い捨ておむつであって、
前記使い捨ておむつの前記長手方向の長さを、第１の長さとし、
前記使い捨ておむつの前記長手方向の前記他方側の端から、前記一対の切欠き部に挟まれる前記吸収体コアの部位のうち最も幅が狭くなる部位の前記長手方向の前記他方側の端までの、前記長手方向の長さを、第２の長さとした場合、
前記第１の長さに対する前記第２の長さの割合が、２２％以上であり、且つ、２６％以下であること、
を特徴とする使い捨ておむつ。
【請求項５】
請求項１から請求項４の何れか１項に記載の使い捨ておむつであって、
前記製品中心から、前記長手方向の前記他方側にて、前記使い捨ておむつの前記長手方向の長さの１０％の長さまでの領域に、前記他の一対の切欠き部に挟まれる前記吸収体コアの部位のうち最も幅が狭くなる部位が位置していること、
を特徴とする使い捨ておむつ。
【請求項６】
請求項１から請求項５の何れか１項に記載の使い捨ておむつであって、
前記幅方向の両端部に、少なくとも、前記一対の切欠き部から前記他の一対の切欠き部までの前記長手方向の範囲内において、前記長手方向に伸縮する伸縮性部材が設けられ、
前記切欠き部の形状は、前記幅方向の外側の部位の方が内側の部位よりも前記長手方向の長さが長く、且つ、頂部の前記長手方向の位置が、前記幅方向の外側の端のうちの前記長手方向の両端の間に位置する形状であること、
を特徴とする使い捨ておむつ。
【請求項７】
請求項６に記載の使い捨ておむつであって、
前記一対の切欠き部間、及び、前記他の一対の切欠き部間を、それぞれ、前記幅方向に沿う折れ皺が、前記使い捨ておむつの自然状態において形成されていること、
を特徴とする使い捨ておむつ。
【請求項８】
請求項１から請求項７の何れか１項に記載の使い捨ておむつであって、
前記一対の切欠き部と前記他の一対の切欠き部との間の前記吸収体コアの幅が、前記一対の切欠き部よりも前記長手方向の前記他方側の前記吸収体コアの幅と、等しくなっていること、
を特徴とする使い捨ておむつ。
【発明の詳細な説明】
【技術分野】
【０００１】
本発明は、展開型の使い捨ておむつに関する。
【背景技術】
【０００２】
展開型の使い捨ておむつは、一般に、液透過性シートと液不透過性シートの間に、吸収体が介在され、着用者の背側部を覆う胴回り部から幅方向の両外側に延出する一対のファスニングテープが、着用者の腹側部を覆う胴回り部に係止されることにより、着用者に固定される。また、吸収体の平面形状を砂時計形状にした使い捨ておむつ、つまり、吸収体の幅方向の端を、幅方向の内側に凸となるように湾曲させ、使い捨ておむつの長手方向の中心において、吸収体の幅が最も狭くなるようにした使い捨ておむつが提案されている（例えば特許文献１参照）。
【先行技術文献】
【特許文献】
【０００３】
【特許文献１】特開２００２−２５３６０８号
【発明の概要】
【発明が解決しようとする課題】
【０００４】
上記特許文献１に記載の吸収体は、比較的に大きく、脚を伸ばした状態で寝ている赤ちゃんの脚の付け根に沿い易い。しかし、比較的に小さく産まれた赤ちゃんは、胎内に居た時の姿勢、つまり、両膝が腹部に付く位にＭ字型に脚を引き上げた姿勢を取るので、脚の付け根が腹部に位置する。そのため、上記特許文献１のように、使い捨ておむつの長手方向の中心が最もくびれた吸収体は、胎内に居た時の姿勢を取る赤ちゃんの脚の付け根に沿い難い。その結果、剛性の高い吸収体が着用者に圧迫感を与えたり、使い捨ておむつと着用者との間に隙間が生じて排泄物が漏れたりしてしまう。
【０００５】
本発明は、上記の問題に鑑みてなされたものであって、その目的は、胎内に居た時の姿勢を取る児の体に沿い易い展開型の使い捨ておむつを提供することである。
【課題を解決するための手段】
【０００６】
上記目的を達成するための主たる発明は、
互いに交差する長手方向及び幅方向を有するとともに、前記長手方向の一方側から、第１胴回り部、股下部、及び、第２胴回り部が並ぶ、展開型の使い捨ておむつであって、
吸収体コアと、
前記第１胴回り部から前記幅方向の両外側に延出する一対のファスニングテープと、を有し、
前記第２胴回り部は、前記使い捨ておむつの前記長手方向の両端を揃えた際に、前記ファスニングテープの前記長手方向の前記股下部側の端が位置する前記長手方向の位置に、前記ファスニングテープの係止端を有し、
前記吸収体コアは、前記幅方向の両端に、一対の切欠き部を有し、
前記吸収体コアは、前記一対の切欠き部よりも前記長手方向の前記一方側に、他の一対の切欠き部を有し、
前記長手方向において、
前記使い捨ておむつの中心である製品中心と、前記係止端との間の領域のうち、当該領域の中心と前記係止端との間の領域に、前記一対の切欠き部に挟まれる前記吸収体コアの部位のうち最も幅が狭くなる部位が位置しており、
前記長手方向において、
前記使い捨ておむつの中心である製品中心よりも、前記一方側とは反対の他方側の領域に、前記他の一対の切欠き部に挟まれる前記吸収体コアの部位のうち最も幅が狭くなる部位が位置していることを特徴とする使い捨ておむつである。
本発明の他の特徴については、本明細書及び添付図面の記載により明らかにする。
【発明の効果】
【０００７】
本発明によれば、胎内に居た時の姿勢を取る児の体に沿い易い展開型の使い捨ておむつを提供することができる。
【図面の簡単な説明】
【０００８】
【図１】展開且つ伸長状態であるおむつの着用者の肌側の概略平面図である。
【図２】図２Ａ及び図２Ｂは図１の位置ＡＡ，位置ＢＢでのおむつの断面図である。
【図３】図３Ａは体重３０００ｇよりも大きい児の姿勢の説明図であり、図３Ｂ及び図３Ｃは低体重児の姿勢の説明図である。
【図４】吸収体コアに設けられた腹側切欠き部の位置の説明図である。
【図５】吸収体コアに設けられた腹側切欠き部の位置の説明図である。
【図６】腹側切欠き部の長手方向の位置をずらした評価試験の結果を示す表である。
【図７】図７Ａはおむつの概略斜視図であり、図７Ｂは腹側切欠き部及び背側切欠き部の形状の説明図である。
【図８】変形例におけるおむつの概略平面図である。
【図９】変形例におけるおむつの概略平面図である。
【発明を実施するための形態】
【０００９】
本明細書及び添付図面の記載により、少なくとも以下の事項が明らかとなる。
【００１０】
互いに交差する長手方向及び幅方向を有するとともに、前記長手方向の一方側から、第１胴回り部、股下部、及び、第２胴回り部が並ぶ、展開型の使い捨ておむつであって、吸収体コアと、前記第１胴回り部から前記幅方向の両外側に延出する一対のファスニングテープと、を有し、前記第２胴回り部は、前記使い捨ておむつの前記長手方向の両端を揃えた際に、前記ファスニングテープの前記長手方向の前記股下部側の端が位置する前記長手方向の位置に、前記ファスニングテープの係止端を有し、前記吸収体コアは、前記幅方向の両端に、少なくとも一対の切欠き部を有し、前記長手方向において、前記使い捨ておむつの中心である製品中心と、前記係止端との間の領域のうち、当該領域の中心と前記係止端との間の領域に、前記一対の切欠き部に挟まれる前記吸収体コアの部位のうち最も幅が狭くなる部位が位置していること、を特徴とする使い捨ておむつである。
このような使い捨ておむつによれば、胎内に居た時の姿勢を取る着用者の脚の位置に、吸収体コアの切欠き部（吸収体コアの幅狭部）、つまり、変形自由度の高い吸収体コアの部位を設けることができ、着用者の脚に吸収体コアが沿い易くなる。よって、吸収体コアによる着用者への圧迫を低減し、使い捨ておむつと着用者との間に隙間が生じ難くなり、排泄物の漏れを抑制できる。
【００１１】
かかる使い捨ておむつであって、前記第２胴回り部は、前記幅方向の両外側に前記股下部よりも延出する一対のサイドフラップを有し、前記長手方向において、前記製品中心と、前記サイドフラップの前記幅方向の最外側の端のうちの前記長手方向の前記一方側の端との間の領域の中心よりも、前記他方側の領域に、前記一対の切欠き部に挟まれる前記吸収体コアの部位のうち最も幅が狭くなる部位が位置していること、を特徴とする使い捨ておむつである。
このような使い捨ておむつによれば、サイドフラップにより近い位置まで持ち上げられる着用者の脚に、吸収体コアが沿い易くなる。
【００１２】
かかる使い捨ておむつであって、前記長手方向において、前記製品中心と、前記吸収体コアの前記他方側の端との間の領域の中心よりも、前記他方側の領域に、前記一対の切欠き部に挟まれる前記吸収体コアの部位のうち最も幅が狭くなる部位が位置していること、を特徴とする使い捨ておむつである。
このような使い捨ておむつによれば、吸収体コアの他方側の端により近い位置まで持ち上げられる着用者の脚に、吸収体コアが沿い易くなる。
【００１３】
かかる使い捨ておむつであって、前記使い捨ておむつの前記長手方向の長さを、第１の長さとし、前記使い捨ておむつの前記長手方向の前記他方側の端から、前記一対の切欠き
部に挟まれる前記吸収体コアの部位のうち最も幅が狭くなる部位の前記長手方向の前記他方側の端までの、前記長手方向の長さを、第２の長さとした場合、前記第１の長さに対する前記第２の長さの割合が、２２％以上であり、且つ、２６％以下であること、を特徴とする使い捨ておむつである。
このような使い捨ておむつによれば、胎内に居た時の姿勢を取る着用者の脚に、吸収体コアが沿い易くなる。
【００１４】
かかる使い捨ておむつであって、前記吸収体コアは、前記一対の切欠き部よりも前記長手方向の前記一方側に、他の一対の切欠き部を有すること、を特徴とする使い捨ておむつである。
このような使い捨ておむつによれば、胎内に居た時の姿勢を取る着用者の股間部に、２つの一対の切欠き部間の吸収体コアの部位、つまり、変形自由度の高い吸収体コアの部位を設けることができ、着用者の股締め力を、吸収体コアの変形により緩和できる。また、各一対の切欠き部が使い捨ておむつの長手方向の折れ基点となり、使い捨ておむつを、着用者の体に沿うように、立体成形できる。
【００１５】
かかる使い捨ておむつであって、前記製品中心から、前記長手方向の両側に、前記使い捨ておむつの前記長手方向の長さの１０％の長さまでの領域に、前記他の一対の切欠き部に挟まれる前記吸収体コアの部位のうち最も幅が狭くなる部位が位置していること、を特徴とする使い捨ておむつである。
このような使い捨ておむつによれば、他の一対の切欠き部が、胎内に居た時の姿勢を取る着用者の脚の付け根の後ろ側の部位に位置し、胎内に居た時の姿勢を取る着用者の体により沿うように、使い捨ておむつを立体成形できる。
【００１６】
かかる使い捨ておむつであって、前記幅方向の両端部に、少なくとも、前記一対の切欠き部から前記他の一対の切欠き部までの前記長手方向の範囲内において、前記長手方向に伸縮する伸縮性部材が設けられ、前記切欠き部の形状は、前記幅方向の外側の部位の方が内側の部位よりも前記長手方向の長さが長く、且つ、頂部の前記長手方向の位置が、前記幅方向の外側の端のうちの前記長手方向の両端の間に位置する形状であること、を特徴とする使い捨ておむつである。
このような使い捨ておむつによれば、各一対の切欠き部間を、幅方向に沿う折れ皺が、形成され、胎内に居た時の姿勢を取る着用者の体に沿うように、使い捨ておむつがより立体成形され易くなる。
【００１７】
かかる使い捨ておむつであって、前記一対の切欠き部間、及び、前記他の一対の切欠き部間を、それぞれ、前記幅方向に沿う折れ皺が、前記使い捨ておむつの自然状態において形成されていること、を特徴とする使い捨ておむつである。
このような使い捨ておむつによれば、胎内に居た時の姿勢を取る着用者の体に沿うように、使い捨ておむつがより立体成形され易くなり、低体重児に使い捨ておむつを装着する補助者も、折れ皺を視認することで、胎内に居た時の姿勢に沿わせて使い捨ておむつを装着させることができる。
【００１８】
かかる使い捨ておむつであって、前記一対の切欠き部と前記他の一対の切欠き部との間の前記吸収体コアの幅が、前記一対の切欠き部よりも前記長手方向の前記他方側の前記吸収体コアの幅と、等しくなっていること、を特徴とする使い捨ておむつである。
このような使い捨ておむつによれば、胎内に居た時の姿勢を取る着用者の脚に吸収体コアを沿わせつつ、排泄物の吸収量を確保できる。
【００１９】
＝＝＝使い捨ておむつの概略構成＝＝＝
本実施形態の使い捨ておむつは、特に、体重が３０００ｇ（グラム）以下の児（以下、
低体重児）に適した展開型の使い捨ておむつ（以下、おむつ）であり、具体的には、体重が２５００ｇ未満の低出生体重児、体重が１５００ｇ未満の極低出生体重児、及び、体重が１０００ｇ未満の超低出生体重児に、適したおむつである。
【００２０】
図１は、展開且つ伸長状態であるおむつ１の着用者の肌側（内側）の概略平面図であり、図２Ａ及び図２Ｂは、図１の位置ＡＡ，位置ＢＢでのおむつ１の断面図である。おむつ１は、互いに交差する（本実施形態では直交する）長手方向、幅方向、及び、厚さ方向を有するとともに、長手方向の一方側から、第１胴回り部１ａ、股下部１ｂ、及び、第２胴回り部１ｃが並ぶ。一般に、第１胴回り部１ａが着用者の背側部を覆い、第２胴回り部１ｃが着用者の腹側部を覆うように着用されるが、逆に着用してもよい。
【００２１】
おむつ１は、図２に示すように、液透過性のトップシート２と、液不透過性のバックフィルム３との間に、吸収体４を有する。吸収体４は、第１胴回り部１ａから第２胴回り部１ｃまで長手方向に延び、排泄物を吸収保持する吸収性材料（例えば粉砕パルプや高吸収ポリマー）から構成される吸収体コア４１と、それを被覆する液透過性の被覆材４２（例えばティッシュシートやスパンボンド不織布）とを有する。また、バックフィルム３の非肌側には、おむつ１全体の外装を成す外装シート５（例えば不織布）が設けられている。なお、図示しないが、胴回りのフィット性を向上させるために、例えば、第１胴回り部１ａに、幅方向に伸縮可能な伸縮性部材（例えば伸縮性シート部材や糸状伸縮性部材）を設けてもよい。
【００２２】
また、図１に示すように、吸収体４（被覆材４２）の平面形状は、長方形である。一方、吸収体コア４１は、幅方向の両端の一部がくびれると共に、そのくびれた部位、すなわち、一対の大きな切欠き部に、山形形状である小さな一対の腹側切欠き部４３、及び、一対の背側切欠き部４４を有している。腹側切欠き部４３、及び、背側切欠き部４４は、吸収体コア４１を構成する吸収性材料が存在しない領域である。そして、一対の腹側切欠き部４３は、長手方向の同じ位置に、幅方向に並んで形成され、一対の背側切欠き部４４は、一対の腹側切欠き部４３よりも長手方向の一方側（背側）であり、長手方向の同じ位置に、幅方向に並んで形成されている。つまり、吸収体コア４１は、幅方向に対称な形状となっている。なお、本実施形態では、腹側切欠き部４３と背側切欠き部４４とで、幅方向の深さをほぼ等しくしているが、幅方向の深さを異ならせてもよい。
【００２３】
第１胴回り部１ａは、幅方向の両外側に股下部１ｂよりも延出する一対の背側サイドフラップ１３を有し、第２胴回り部１ｃも、幅方向の両外側に股下部１ｂよりも延出する一対の腹側サイドフラップ１４（サイドフラップ）を有する。各サイドフラップ１３，１４は、バックフィルム３と後述の立体ギャザーシート２１とが重ね合わされることにより形成されている。そして、一対の背側サイドフラップ１３（第１胴回り部１ａ）からは、幅方向の両外側に一対のファスニングテープ１０が延出している。
【００２４】
ファスニングテープ１０は、基材１１と、フックシート１２とを有し、基材１１の厚さ方向における肌側面に、フックシート１２が設けられている。フックシート１２は、第２胴回り部１ｃ側に折り込まれた際に、第２胴回り部１ｃの外装シート５（非肌側面）と対向し、外装シート５に係止される。そのために、フックシート１２（例えば面ファスナーの雄材を備えるシート）は、外装シート５（例えば不織布）に、係止可能及び取り外し可能な構成となっている。なお、フックシート１２を直接外装シート５に係止するに限らず、例えば、フックシート１２を係止可能なターゲットシート（例えば面ファスナーの雌材を備えるシート）を外装シート５に設け、ターゲットシートにフックシート１２を係止する構成にしてもよい。
【００２５】
そして、おむつ１は、装着される際に、まず、着用者に当てがわれながら長手方向に折
られた後、一対の背側サイドフラップ１３が幅方向の内側に折り込まれ、第２胴回り部１ｃの外装シート５に一対のファスニングテープ１０が係止される。その結果、胴回り開口部と、一対の脚回り開口部とが、形成される。
【００２６】
また、おむつ１の幅方向の両端部には、長手方向に伸縮可能な脚回り伸縮性部材６が設けられている。脚回り伸縮性部材６は、長手方向に伸長した状態で、表面シート２や立体ギャザーシート２１とバックフィルム３との間に固定されている。そのため、自然状態のおむつ１では、脚回り伸縮性部材６が収縮し、脚回り開口の周縁部に脚回りギャザーが形成され、着用者の脚回りにフィットする。
【００２７】
なお、本実施形態では、脚回り伸縮性部材６を、糸状伸縮性部材（例えば糸状のポリウレタン伸縮性繊維や糸状の天然ゴム）とし、おむつ１の幅方向の各端部に、脚回り伸縮性部材６が幅方向に２本並んでいるが、脚回り伸縮性部材６の数はこれに限らない。また、脚回り伸縮性部材６を、伸縮性シート部材（例えば熱可塑性エラストマ樹脂を溶融してフィルム状とした伸縮性フィルムや伸縮繊維からなる伸縮性不織布）としてもよい。
【００２８】
また、おむつ１の幅方向の両端部には、肌側（着用者側）に起立する一対の立体ギャザー２０が設けられている。各立体ギャザー２０は、立体ギャザーシート２１と、立体ギャザー用伸縮性部材２２とを有する。図２に示すように、立体ギャザーシート２１と外装シート５の幅方向の外側端は一致している。一方、立体ギャザーシート２１の幅方向の内側の端部はトップシート２側（非肌側）に折り込まれ、そうして２層となった立体ギャザーシート２１の間に、立体ギャザー用伸縮性部材２２（本実施形態では１本の糸状伸縮性部材）が、長手方向に伸長した状態で固定されている。また、図示しないが、立体ギャザーシート２１の長手方向の両端部は、接着剤等により、トップシート２に接合されている。そして、接合された長手方向の両端部よりも幅方向の外側の立体ギャザーシート２１の部位は、長手方向の一端から他端に亘ってトップシート２に接合され、その接合部（基端部）が、立体ギャザー用伸縮性部材２２の収縮による起立する立体ギャザー２１の起点となっている。
【００２９】
また、本実施形態のおむつ１は低体重児用である。そのため、皺なく製品を伸長させた状態、具体的には、おむつ１を構成する部材（例えば外装シート５）の寸法がその部材単体の寸法と一致又はそれに近い長さになるまで伸長した状態での、製品寸法を以下の値にするとよい。製品を長手方向に伸長させた状態での長手方向の製品長は２１０〜３３０ｍｍの範囲、詳しくは、体重２５００ｇ未満用の製品長を３１０ｍｍ、体重１５００ｇ未満用の製品長を２７０ｍｍ、体重１０００ｇ未満用の製品長を２３０ｍｍとするとよい。ウェスト寸法（胴回り開口の周長）は１６０〜２９５ｍｍの範囲、詳しくは、体重２５００ｇ未満用のウェスト寸法を２７３．５ｍｍ、体重１５００ｇ未満用のウェスト寸法を２２０ｍｍとするとよい。なお、ウェスト寸法は、一方のファスニングテープ１０の幅方向の先端を、他方のファスニングテープ１０が有するフックシート１２の幅方向の根本側の端部に合わせた状態で、胴回りに伸縮性部材が設けられている場合には、製品を幅方向に伸長させた状態での寸法である。
【００３０】
＝＝＝低体重児に特有の課題＝＝＝
図３Ａは、体重３０００ｇよりも大きい児の姿勢の説明図であり、図３Ｂ及び図３Ｃは、低体重児の姿勢の説明図である。
例えば、体重３０００ｇよりも大きい児は、図３Ａに示すように、脚（太腿）７を伸ばした姿勢を取ることが多い。そのため、おむつ１の長手方向の中心部（図の斜線部）が脚７（股間部）に挟み込まれる。よって、おむつの長手方向の中心部において、例えば、吸収体コアの幅方向の端が内側に凸となるように湾曲させることで、つまり、第１，第２胴回り部１ａ，１ｃでは吸収体コアの幅を広くし、長手方向の中心で吸収体コアの幅を最も
狭くすることで、体重３０００ｇよりも大きい児の脚７の付け根に、吸収体コアを沿わせることができる。
【００３１】
一方、例えば、体重３０００ｇ以下の低体重児は、呼吸の安定等の理由から、図３Ｂ及び図３Ｃに示すように、胎内に居た時の姿勢、つまり、両膝が腹部に付く位にＭ字型に脚７を引き上げた姿勢（以下、ポジショニング姿勢）を取ることが多い。そのため、おむつ１の長手方向の中心部よりも腹側の領域（図の斜線部）、すなわち、腹部を覆う第２胴回り部１ｃが脚７に挟み込まれる。
【００３２】
そのため、体重３０００ｇよりも大きい児の姿勢に適した上記のおむつ（すなわち、第２胴回り部１ｃの吸収体コアの幅が広く、長手方向の中心で吸収体コアの幅が最も狭くなるおむつ）を、ポジショニング姿勢を取る低体重児が着用しても、脚７の付け根に吸収体コアが沿わない。そして、第２胴回り部１ｃの幅の広い吸収体コアの部位が脚７に挟み込まれることになる。よって、剛性の高い吸収体コアが、着用者の脚に圧迫感を与えたり、吸収体コアがよれて、使い捨ておむつと着用者との間に隙間が生じ、排泄物が漏れ易くなったりしてしまう。また、切欠き部により吸収体コアの剛性が低くなった部位が、着用者の股間部の中心、すなわち、股締め力が強い部位に位置する虞があり、その場合にも、吸収体コアがよれ易くなってしまう。
【００３３】
そこで、本実施形態では、ポジショニング姿勢を取る低体重児の体に沿い易いおむつ１を提供することを目的とする。
【００３４】
＝＝＝吸収体コア＝＝＝
図４、及び、図５は、吸収体コア４１に設けられた腹側切欠き部４３の位置の説明図である。図６は、腹側切欠き部４３の長手方向の位置をずらした評価試験の結果を示す表である。図７Ａは、おむつ１の概略斜視図であり、図７Ｂは、腹側切欠き部４３及び背側切欠き部４４の形状の説明図である。
【００３５】
ファスニングテープ１０（フックシート１２）は、通常、おむつ１の長手方向の両端１Ａ，１Ｂが揃えられ、ファスニングテープ１０が幅方向の内側に平行に折り込まれた結果、ファスニングテープ１０と対向する第２胴回り部１ｃの部位の周辺に係止される。そこで、本実施形態では、おむつ１の長手方向の両端１Ａ，１Ｂを揃えた際に、ファスニングテープ１０（フックシート１２）の長手方向中心側（股下部１ｂ）側の端１０ａ（１２ａ）が位置する長手方向の位置（図４の位置ａ）を、第２胴回り部１ｃにおけるファスニングテープ１０の係止端１ｃ１とする。換言すると、おむつ１の長手方向一方側の端１Ａから、ファスニングテープ１０（フックシート１２）の長手方向中心側の端１０ａ（１２ａ）までの、長手方向の長さをＬ３とした場合、おむつ１の長手方向他方側の端１Ｂから、長手方向中心側に長さＬ３だけ離れた位置が、ファスニングテープ１０の係止端１ｃ１となる。
【００３６】
なお、ファスニングテープ１０とフックシート１２とで長手方向中心側の端１０ａ，１２ａが一致しない場合は、フックシート１２の長手方向中心側の端１２ａの位置を係止端１ｃ１とする。また、フックシート１２（ファスニングテープ１０）の形状は、長方形に限らず、例えば台形等でもよく、その場合、フックシート１２の長手方向中心側の端１２ａは幅方向に対して傾斜する。よって、フックシート１２の長手方向中心側の端１２ａのうち、長手方向の最外側の部位の位置を、係止端１ｃ１とする。
【００３７】
そして、本実施形態のおむつ１では、図４に示すように、おむつ１の長手方向の中心である製品中心（位置ｂ）と、係止端１ｃ１（位置ａ）との間の第１領域Ａ１のうち、第１領域Ａ１の長手方向の中心（位置ｃ）と、係止端１ｃ１（位置ａ）との間の第２領域Ａ２
に、腹側切欠き部４３の頂部４３ａが位置している。
【００３８】
換言すると、一対の腹側切欠き部４３に挟まれる吸収体コア４１の部位（図７Ｂの斜線部）のうち、最も幅が狭くなる部位が、第２領域Ａ２に位置している。なお、本実施形態では、一対の腹側切欠き部４３の各頂部４３ａの長手方向の位置が揃っているが、ずれていてもよい。その場合、一対の腹側切欠き部４３に挟まれる吸収体コア４１の部位とは、一方の腹側切欠き部４３の長手方向の両端４３ｂ，４３ｃ（図７Ｂ参照）が位置する長手方向の範囲と、他方の腹側切欠き部４３の長手方向の両端４３ｂ，４３ｃが位置する長手方向の範囲とが、重複する領域に位置する吸収体コア４１の部位となる。
【００３９】
このように、本実施形態のおむつ１では、製品中心（位置ｂ）よりもファスニングテープ１０の係止端１ｃ１寄りに、腹側切欠き部４３が位置している。おむつ１は、主に、ファスニングテープ１０（フックシート１２）で着用者に固定される。そのため、ポジショニング姿勢を取る着用者の脚の付け根は、ファスニングテープ１０の係止端１ｃ１に近い位置まで持ち上げられる。そこで、ファスニングテープ１０の係止端１ｃ１寄りの第２領域Ａ２に、腹側切欠き部４３を設けることで、ポジショニング姿勢を取る着用者の脚の付け根の位置に、腹側切欠き部４３を設けることができる。
【００４０】
腹側切欠き部４３周辺の吸収体コア４１は、幅が狭く、且つ、他の部位に比べて、剛性が低く、変形自由度が高い。そのため、ポジショニング姿勢を取る着用者の脚の付け根の位置に腹側切欠き部４３を設けることで、吸収体コア４１が着用者の脚の付け根に沿い易くなる。よって、吸収体コア４１による着用者の脚への圧迫が減り、着用者はポジショニング姿勢を取り易くなる。換言すると、ファスニングテープ１０で着用者に固定されたおむつ１が、ポジショニング姿勢を取ろうとする脚から受ける力（おむつ１を腹側にずらそうとする力）を、腹側切欠き部４３の変形で緩和でき、着用者への圧迫を低減できる。よって、おむつ１の着け心地を向上させ、着用者のむくみを抑制できる。また、吸収体コア４１のよれを抑え、おむつ１と着用者との間に隙間が生じ難くなるため、排泄物の漏れを抑制できる。
【００４１】
但し、仮に、ファスニングテープ１０の係止端１ｃ１よりも長手方向の他方側（腹側）に、腹側切欠き部４３の頂部４３ａが設けられていると、ファスニングテープ１０の係止位置に、腹側切欠き部４３による吸収体コア４１の段差（厚み差）が生じている確率が高くなる。そうすると、ファスニングテープ１０の係止力が弱まったり、腹側切欠き部４３周辺の吸収体コア４１の変形により、ファスニングテープ１０が外れ易くなったりしてしまう。これに対して、本実施形態のおむつ１では、ファスニングテープ１０の係止端１ｃ１よりも長手方向一方側に、腹側切欠き部４３の頂部４３ａが設けられるため、段差がなく、剛性の高い吸収体コア４１の部位に、ファスニングテープ１０が係止される。よって、ファスニングテープ１０をしっかりと係止でき、吸収体コア４１の変形によるファスニングテープ１０の外れを防止できる。
【００４２】
また、おむつ１では、着用時に、腹側サイドフラップ１４と背側サイドフラップ１３の間の部位で、脚回り開口部が形成される。よって、第２胴回り１ｃのうち、特にファスニングテープ１０（フックシート１２）が係止されていない部位では、ポジショニング姿勢を取る着用者の脚の付け根が、腹側サイドフラップ１４の幅方向の最外側の端１４ａのうちの長手方向の一方側（中心側）の端（以下、腹側サイドフラップ端１４１（位置ｄ））に引っ掛かり易く、腹側サイドフラップ端１４１により近い位置まで持ち上げられる。
【００４３】
そこで、本実施形態のおむつ１では、おむつ１の製品中心（位置ｂ）と、腹側サイドフラップ端１４１（位置ｄ）との間の第３領域Ａ３の中心（位置ｅ）よりも、長手方向の他方側に、つまり、第３領域Ａ３の中心（位置ｅ）と係止端１ｃ１（位置ａ）との間の第４
領域Ａ４であり、第２領域Ａ２のより腹側の領域に、腹側切欠き４３の頂部４３ａを設ける（一対の切欠き部に挟まれる吸収体コア４１の部位のうち最も幅が狭くなる部位を設ける）。そうすることで、腹側サイドフラップ端１４１により近い位置まで持ち上げられる着用者の脚に、吸収体コア４１が沿い易くなる。また、腹側サイドフラップ端１４１に近い位置のおむつ１（吸収体コア）の部位が、着用者の脚から受ける力（おむつ１を腹側にずらそうとする力）を、腹側切欠き部４３の変形により緩和でき、着用者への圧迫を低減できる。
【００４４】
また、おむつ１は、着用者の腹部と吸収体コア４１の長手方向他方側（腹側）の端４１ａとが引っ掛かることによっても、着用者に固定される。よって、第２胴回り部１ｃのうち、特にファスニングテープ１０（フックシート１２）が係止されていない部位では、ポジショニング姿勢を取る着用者の脚の付け根が、吸収体コア４１の長手方向他方側の端４１ａにより近い位置まで持ち上げられる。
【００４５】
そこで、本実施形態のおむつ１では、おむつ１の製品中心（位置ｂ）と、吸収体コア４１の長手方向他方側の端４１ａとの間の第５領域Ａ５の中心（位置ｇ）よりも、長手方向の他方側に、つまり、第５領域Ａ５の中心（位置ｇ）と係止端１ｃ１（位置ａ）との間の第６領域Ａ６であり、第２領域Ａ２のより腹側の領域に、腹側切欠き４３の頂部４３ａを設ける（一対の切欠き部に挟まれる吸収体コアの部位のうち最も幅が狭くなる部位を設ける）。そうすることで、吸収体コア４１の長手方向他方側の端４１ａにより近い位置まで持ち上げられる着用者の脚に、吸収体コア４１が沿い易くなる。また、吸収体コア４１の長手方向他方側の端４１ａに近い位置のおむつ１（吸収体コア）の部位が、着用者の脚から受ける力（おむつ１を腹側にずらそうとする力）を、腹側切欠き部４３の変形により緩和でき、着用者への圧迫を低減できる。
【００４６】
また、図５に示すように、おむつ１の長手方向の長さ（製品長）を、第１の長さＬ１とし、おむつ１の長手方向他方側の端１Ｂから腹側切欠き４３の頂部４３ａまでの長手方向の長さを、第２の長さＬ２とし、図６に示すように、第１の長さＬ１に対する第２の長さＬ２の割合（Ｌ２／Ｌ１×１００）を種々変更して、評価試験を行った。つまり、第１の長さＬ１に対する第２の長さＬ２の割合を図６に示す値としたおむつ１を、ポジショニング姿勢を取る低体重児に実際に着用させて、目視により、おむつ１のフィット性の評価試験を行った。そして、フィット性が良い場合、例えば、吸収体コア４１が着用者の脚を圧迫せず、着用者の脚周辺の吸収体コア４１がよれていない場合や、おむつ１と着用者との間に隙間が生じていない場合には「○」とし、逆にフィット性が悪い場合には「×」とした。
【００４７】
その結果、図６に示すように、第１の長さＬ１に対する第２の長さＬ２の割合が、２２％、２４％、２６％であるときに、フィット性が良いという評価が得られた。そこで、本実施形態のおむつ１では、製品中心（位置ｂ）よりもファスニングテープ１０の係止端１ｃ１寄りの第２領域Ａ２のうち、第１の長さＬ１に対する第２の長さＬ２の割合が、２２％以上であり、且つ、２６％以下となる位置に、腹側切欠き４３の頂部４３ａを設ける（一対の切欠き部に挟まれる吸収体コアの部位のうち最も幅が狭くなる部位を設ける）。そうすることで、ポジショニング姿勢を取る着用者の脚に吸収体コア４１がより沿い易くなり、おむつ１のフィット性を向上させることができる。
【００４８】
更に、本実施形態のおむつ１では、吸収体コア４１が、一対の腹側切欠き部４３（一対の切欠き部）に加えて、一対の背側切欠き部４４（他の一対の切欠き部）を有する。そのため、腹側切欠き部４３と背側切欠き部４４との間の吸収体コア４１の部位、つまり、ポジショニング姿勢を取る着用者の脚（股間部）に挟み込まれる吸収体コア４１の部位の変形自由度を高めることができる。よって、着用者の股締め力を、吸収体コア４１の変形に
より緩和でき、着用者への圧迫（反発力）を低減でき、着け心地を向上させることができる。
【００４９】
特に、本実施形態のおむつ１では、一対の腹側切欠き部４３よりも長手方向の一方側から、一対の背側切欠き部４４よりも長手方向の他方側にかけて、幅方向の内側が凸となるように、吸収体コア４１の幅方向の両端が湾曲している。そのため、ポジショニング姿勢を取る着用者の脚の付け根に吸収体コア４１がより沿い易くなっている。
【００５０】
また、一対の腹側切欠き部４３周辺の吸収体コア４１の部位、及び、一対の背側切欠き部４４周辺の吸収体コア４１の部位は、剛性が低く、おむつ１を長手方向に折る折れ基点となる。そのため、本実施形態のおむつ１（吸収体コア４１）は、図７Ａに示すように、着用者の体に沿うように、立体成形され易い。つまり、一対の腹側切欠き部４３と一対の背側切欠き部４４との間の吸収体コア４１の部位を底部として、一対の腹側切欠き部４３よりも腹側の部位と、一対の背側切欠き部４４よりも背側の部位とが、起ち上がる形状になり易い。そして、前述のように、製品中心（位置ｂ）よりもファスニングテープ１０の係止端１ｃ１寄りの第２領域Ａ２に、腹側切欠き部４３の頂部４３ａを設けることで、ポジショニング姿勢を取る着用者の脚の付け根の前側の部位で、おむつ１を折ることができる。
【００５１】
一方、図５に示すように、製品中心（位置ｂ）から、長手方向の両側に、おむつ１の長手方向の長さＬ１の１０％の長さＬ４（＝Ｌ１×０．１）だけ離れた第７領域Ａ７、つまり、おむつ１の長手方向のほぼ中心に、背側切欠き部４４の頂部４４ａを設けるとよい（他の一対の切欠き部に挟まれる吸収体コア４１の部位のうち最も幅が狭くなる部位を設けるとよい）。そうすることで、ポジショニング姿勢を取る着用者の脚の付け根の後ろ側の部位で（換言すると、仰向けに寝た着用者の地面に接している臀部から、ポジショニング姿勢により脚が上がり始める部位で）、おむつ１を折ることができる。
【００５２】
したがって、ポジショニング姿勢を取る着用者の体により沿うように、おむつ１を立体成形できる。そのため、ポジショニング姿勢に沿うように、おむつ１が無理に引っ張られて装着されてしまうことを防ぎ、おむつ１による着用者への圧迫を低減できるので、おむつ１の着け心地を向上させ、着用者のむくみを抑制できる。また、おむつ１と着用者との間に隙間が生じ難くなり、排泄物の漏れを抑制できる。但し、これに限らず、製品中心から長手方向の両側に、製品長Ｌ１の１０％の長さＬ４よりも離れた領域に、背側切欠き部４４を設けてもよく、また、吸収体コア４１に、背側切欠き部４４を設けず、腹側切欠き部４３を設けるだけでもよい。
【００５３】
また、本実施形態のおむつ１のように、幅方向の両端部に、少なくとも、一対の腹側切欠き部４３（図７Ｂの長手方向他方側の端４３ｂ）から一対の背側切欠き部４４（長手方向一方側の端４４ｃ）までの長手方向の範囲内において、長手方向に伸縮する脚回り伸縮性部材、つまり、脚回り伸縮性部材６、及び、立体ギャザー用伸縮性部材２２が設けられている場合、伸縮性部材の収縮力により、おむつ１は、肌側面が内側となるように、長手方向に湾曲する。そのため、おむつ１を、ポジショニング姿勢を取る着用者の体に沿い易いように、丸く立体成形できる。なお、一般に、伸縮性部材の両端は、伸長状態で固定されておらず、伸縮性に寄与しないので、図１には、伸縮性に寄与する伸縮性部材の部位のみ示す。そして、一対の腹側切欠き部４３から一対の背側切欠き部４４までの長手方向の範囲以上に亘って、伸縮性に寄与する伸縮性部材の部位が存在することが好ましい。但し、これに限らず、脚回り伸縮性部材６と立体ギャザー用伸縮性部材２２の何れか一方だけを有するおむつ１でもよいし、長手方向に伸縮する伸縮性部材を有さないおむつ１でもよい。
【００５４】
更に、本実施形態のおむつ１では、腹側切欠き部４３、及び、背側切欠き部４４の各形状が、山形形状となっている。つまり、図７Ｂに示すように、各切欠き部４３，４４のうち、幅方向の外側の部位の方が内側の部位よりも長手方向の長さが長く、且つ、頂部４３ａ，４４ａの長手方向の位置が、幅方向の外側の端４３１，４４１のうちの長手方向の両端の間（４３ｂと４３ｃの間、４４ｂと４４ｃの間）に位置する形状となっている。
【００５５】
そのため、脚回り伸縮性部材６や立体ギャザー用伸縮性部材２２の収縮力により、各切欠き部４３，４４が幅方向に縮まり、各切欠き部４３，４４が摘ままれたような形状となる。その結果、図７Ａに示すように、一対の腹側切欠き部４３間を幅方向に沿う折れ皺４５が形成され、また、一対の背側切欠き部４４間を幅方向に沿う折れ皺４６が形成される。特に、各切欠き部４３，４４の幅方向の外側の端４３１，４４１のうちの長手方向の両端の中央部（４３ｂと４３ｃの中央部、４４ｂと４４ｃの中央部）に、各切欠き部４３，４４の頂部４３ａ，４４ａの長手方向の位置を設けるとよい。そうすることで、一対の腹側切欠き部４３間、及び、一対の背側切欠き部４４間を、それぞれ繋ぐように、折れ皺４５，４６を綺麗に形成できる。但し、各切欠き部４３，４４の形状はこれに限らない。
【００５６】
そして、前記折れ皺４５，４６が、おむつ１の自然状態において形成されていることで、おむつ１は、折れ皺４５，４６を基点として折れ易くなり、ポジショニング姿勢を取る着用者の体に沿うように立体成形され易くなる。また、低体重児におむつ１を装着する補助者も、折れ皺４５，４６を視認することで、おむつ１がポジショニング姿勢に沿い易い形状であることを認識でき、ポジショニング姿勢に合わせておむつ１を装着させることができる。但し、これに限らず、自然状態のおむつ１に折れ皺４５，４６が形成されていなくてもよい。
【００５７】
なお、本実施形態では、腹側切欠き部４３、及び、背側切欠き部４４には、吸収体コア４１を構成する吸収性材料が全く存在せず、吸収体コア４１が完全に切り欠かれているとしているが、これに限らない。周囲に比べて吸収性材料の目付が低い部位（例えば周囲の５０％以下の目付である部位）を、切欠き部としてもよい。この場合にも、各切欠き部の周辺部位では、剛性が低く、変形自由度が高いため、ポジショニング姿勢を取る着用者におむつ１（吸収体コア４１）を沿わせることができる。
【００５８】
＝＝＝変形例＝＝＝
図８、及び、図９は、変形例におけるおむつ１の概略平面図である。上記実施形態では、吸収体コア４１のくびれ部（大きな切欠き部）に、山形形状の小さな腹側切欠き部４３、及び、背側切欠き部４４が設けられているが、これに限らない。例えば、図８に示すように、山形形状の小さな腹側切欠き部４３、及び、背側切欠き部４４だけが設けられた吸収体コア４１であってもよい。つまり、一対の腹側切欠き部４３と一対の背側切欠き部４４との間の吸収体コア４１の幅を、一対の腹側切欠き部４３よりも長手方向他方側の吸収体コア４１の幅と等しくしたり、一対の背側切欠き部４４よりも長手方向一方側の吸収体コア４１の幅と等しくしたりしてもよい。低体重児用のおむつ１では吸収体コア４１のサイズが元々小さく、また、ポジショニング姿勢により脚の位置は変わっても、排泄位置はあまり変わらないので、腹側切欠き部４３と背側切欠き部４４との間の吸収体コアをくびれさせないことで、排泄物の吸収量を確保でき、排泄物の漏れを抑制できる。
【００５９】
また、おむつ１は、着用者の腹部と、おむつ１の長手方向他方側の端１Ｂとが引っ掛かることによっても、着用者に固定され、着用者の脚の付け根が、おむつ１の長手方向他方側の端１Ｂにより近い位置まで持ち上げられる。そこで、おむつ１の製品中心（位置ｂ）と、おむつ１の長手方向他方側の端１Ｂ（位置ｈ）との間の第８領域Ａ８の中心（位置ｉ）よりも長手方向の他方側に、つまり、第８領域Ａ８の中心（位置ｉ）と係止端１ｃ１（位置ａ）との間の第９領域Ａ９に、腹側切欠き４３の頂部４３ａを設けてもよい。
【００６０】
また、おむつ１の製品中心（位置ｂ）よりもファスニングテープ１０の係止端１ｃ１寄りの第２領域Ａ２のうち、図８に示すように係止端１ｃ１（位置ａ）上の位置や、製品中心（位置ｂ）上の位置に、腹側切欠き部４３の頂部４３ａを設けてもよい。
【００６１】
また、吸収体コア４１に、山形形状の小さな切欠き部を設けるに限らず、図９に示すように、長手方向に長く、緩やかに切欠かれた一対の切欠き部４７（図の斜線部）を設けるだけでもよい。この場合にも、製品中心（位置ｂ）よりもファスニングテープ１０の係止端１ｃ１寄りの第２領域Ａ２に、一対の切欠き部４７に挟まれる吸収体コア４１の部位のうち最小幅Ｗ１となる部位を設けるとよい。そうすることで、ポジショニング姿勢を取る着用者の脚に吸収体コア４１を沿わせることができる。
【００６２】
また、図１に示すように、第１胴回り部１ａのうちでファスニングテープ１０が固定されている部分を切り取るための切り取り線５０が、おむつ１の展開状態において形成されている態様１のおむつであってもよい。また、以下の態様のおむつであってもよい。
【００６３】
態様１に記載のおむつであって、
前記切り取り線５０は、前記各ファスニングテープ１０に対応させて、幅方向の両側の各位置にそれぞれ形成されており、
前記切り取り線５０は、それぞれ、胴回り開口部となる部分から、前記第１胴回り部１ａのうちで前記ファスニングテープ１０が固定されている前記部分よりも幅方向の内側の位置を通って、脚回り開口部となる部分の方へ延びたルートで形成されていることを特徴とする態様２のおむつ。
【００６４】
態様１又は２に記載のおむつであって、
前記切り取り線５０は、厚さ方向に貫通する複数の貫通孔を有し、
前記複数の貫通孔は、前記切り取り線５０が延びるべき方向に沿って並んでいることを特徴とする態様３のおむつ。
【００６５】
態様３に記載のおむつであって、
前記切り取り線５０は、胴回り開口部となる部分から長手方向の内側に延びて形成される第１切り取り線部分と、
前記第１切り取り線部分よりも長手方向の内側の位置であって、長手方向に関して前記ファスニングテープ１０と同じ位置に位置する第２切り取り線部分と、を有し、
前記切り取り線５０が延びる方向の単位長さ当たりに占める前記貫通孔の長さの割合について比べた場合に、前記第１切り取り線部分の前記割合よりも前記第２切り取り線部分の前記割合の方が小さいことを特徴とする態様４のおむつ。
【００６６】
態様４に記載のおむつであって、
前記切り取り線５０は、前記第２切り取り線部分よりも長手方向の内側の位置に、長手方向の内側に進むに従って幅方向の外側に変位した湾曲形状の曲線状部分を有し、
前記切り取り線５０が延びる方向の単位長さ当たりに占める前記貫通孔の長さの割合について比べた場合に、前記曲線状部分の前記割合よりも前記第２切り取り線部分の前記割合の方が小さいことを特徴とする態様５のおむつ。
【００６７】
態様１乃至３の何れかに記載のおむつであって、
前記切り取り線５０は、前記胴回り開口部となる部分から長手方向に沿って直線状に延びる直線状部分と、前記直線状部分よりも長手方向の内側に位置しつつ、長手方向の内側に進むに従って幅方向の外側に変位した湾曲形状の曲線状部分と、を有することを特徴とする態様６のおむつ。
【００６８】
態様６に記載のおむつであって、
幅方向の両側の各位置には、それぞれ、前記脚回り開口部となる部分を長手方向に収縮させるための脚回り伸縮性部材６が長手方向に沿って設けられており、
前記曲線状部分を仮想的に前記胴回り開口部側の部分と前記脚回り開口部側の部分とに二分した場合であって、しかも、厚さ方向から前記脚回り伸縮性部材６を見た場合に、前記脚回り伸縮性部材６は、前記曲線状部分のうちの前記胴回り開口部側の部分と交差していることを特徴とする態様７のおむつ。
【００６９】
態様６又は７に記載のおむつであって、
前記おむつは、厚さ方向に積層された複数のシートを有し、
前記直線状部分での前記シートの積層枚数よりも、前記曲線状部分のうちの少なくとも一部での前記シートの積層枚数の方が少ないことを特徴とする態様８のおむつ。
【００７０】
態様６乃至８の何れかの記載のおむつであって、
前記おむつは、製造時の延伸方向が長手方向に沿った樹脂フィルム（バックフィルム３）を有し、
前記直線状部分は、前記樹脂フィルムに形成されていることを特徴とする態様９のおむつ。
【００７１】
態様１乃至９の何れかに記載のおむつであって、
幅方向の両側の各位置には、それぞれ長手方向に沿って設けられたシート状の立体ギャザー２０が設けられており、
前記立体ギャザー２０は、厚さ方向に起立不能な基端部と、前記基端部を支点として厚さ方向の肌側に起立可能な起立部とを幅方向に並んで有し、前記起立部に作用する長手方向の収縮力に基づいて前記起立部が前記長手方向に収縮することによって、前記起立部が厚さ方向の肌側に起立し、
前記切り取り線５０は、前記基端部及び前記起立部よりも幅方向の外側の位置に形成されていることを特徴とする態様１０のおむつ。
【００７２】
態様１乃至１０の何れかに記載のおむつであって、
液体を吸収する吸収性材料を厚さ方向に積層してなる吸収体コア４１を、幅方向の中央に有し、
前記切り取り線５０は、前記吸収体コア４１よりも幅方向の外側の位置に形成されていることを特徴とする態様１１のおむつ。
【００７３】
態様１乃至１１の何れかに記載のおむつであって、
前記第２胴回り部１ｃのうちで胴回り開口部となる部分には、幅方向の位置に関して前記切り取り線５０と同じ位置に、切断線（不図示）が長手方向に沿って形成されていることを特徴とする展開型使い捨ておむつ。
【００７４】
以上、上記実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【００７５】
１  （展開型の使い捨て）おむつ、１ａ  第１胴回り部、１ｂ  股下部、１ｃ  第２胴回り部、２  トップシート、３  バックフィルム、４  吸収体、４１  吸収体コア、４２  被覆材、４３  腹側切欠き部（一対の切欠き部）、４３１  幅方向の外側の端、４３ａ  
頂部、４３ｂ，４３ｃ  長手方向の両端、４４  背側切欠き部（他の一対の切欠き部）、４４１  幅方向の外側の端、４４ａ  頂部、４４ｂ，４４ｃ  長手方向の両端、４５  折れ皺、４６  折れ皺、４７  一対の切欠き部、５  外装シート、６  脚回り伸縮性部材（伸縮性部材）、７  脚、１０  ファスニングテープ、１１  基材、１２  フックシート、１３  背側サイドフラップ、１４  腹側サイドフラップ（サイドフラップ）、２０  立体ギャザー、２１  立体ギャザーシート、２２  立体ギャザー用伸縮性部材（伸縮性部材）、ｂ  製品中心、ａ，１ｃ１  ファスニングテープの係止端、Ｌ１  第１の長さ、Ｌ２  第２の長さ、５０  切り取り線
【要約】
【課題】胎内に居た時の姿勢を取る児の体に沿い易い展開型の使い捨ておむつを提供すること。
【解決手段】互いに交差する長手方向及び幅方向を有するとともに、長手方向の一方側から、第１胴回り部、股下部、及び、第２胴回り部が並ぶ、展開型の使い捨ておむつであって、吸収体コアと、第１胴回り部から幅方向の両外側に延出する一対のファスニングテープとを有し、第２胴回り部は、使い捨ておむつの長手方向の両端を揃えた際に、ファスニングテープの長手方向の股下部側の端が位置する長手方向の位置に、ファスニングテープの係止端を有し、吸収体コアは、幅方向の両端に、少なくとも一対の切欠き部を有し、長手方向において、使い捨ておむつの中心である製品中心と、係止端との間の領域のうち、当該領域の中心と係止端との間の領域に、一対の切欠き部に挟まれる吸収体コアの部位のうち最も幅が狭くなる部位が位置している。
【選択図】図４【図１】
0005753939.tif 000002
【図２】
0005753939.tif 000003
【図３】
0005753939.tif 000004
【図４】
0005753939.tif 000005
【図５】
0005753939.tif 000006
【図６】
0005753939.tif 000007
【図７】
0005753939.tif 000008
【図８】
0005753939.tif 000009
【図９】
0005753939.tif 000010